(57)【要約】被冷凍物の表面全体に万偏なく冷気流を接触させて、最大氷結晶生成帯を容易に早く通過し、被冷凍物の中心部が短時間で所定の温度に到達可能な機能性連続急速冷凍装置を提供するために、被冷凍物Ｑが収容される冷凍室２と、該冷凍室２の中央部に仕切り壁状に配設され冷凍室２を第１冷凍区画２ａと第２冷凍区画２ｂに区画する冷却用熱交換器１と、第１冷凍区画２ａを介して冷却用熱交換器１と対面状に配設される第１送風ファン５と、第２冷凍区画２ｂを介して冷却用熱交換器１と対面状に配設される第２送風ファン６と、を備える。
2014049717.tif 000002
【特許請求の範囲】
【請求項１】
被冷凍物（Ｑ）が収容される冷凍室（２）と、該冷凍室（２）の中央部に仕切り壁状に配設され上記冷凍室（２）を第１冷凍区画（２ａ）と第２冷凍区画（２ｂ）に区画する冷却用熱交換器（１）と、上記第１冷凍区画（２ａ）を介して上記冷却用熱交換器（１）と対面状に配設される第１送風ファン（５）と、上記第２冷凍区画（２ｂ）を介して上記冷却用熱交換器（１）と対面状に配設される第２送風ファン（６）と、を備えたことを特徴とする機能性連続急速冷凍装置。
【請求項２】
上記冷却用熱交換器（１）によって発生する上記冷凍室（２）内の冷気を、上記第１冷凍区画（２ａ）から上記第２冷凍区画（２ｂ）への流れと、上記第２冷凍区画（２ｂ）から上記第１冷凍区画（２ａ）への流れとに、所定時間毎に切り換わるように、上記第１送風ファン（５）と上記第２送風ファン（６）のファン回転方向を制御するファン制御部（８）を具備する請求項１記載の機能性連続急速冷凍装置。
【発明の詳細な説明】
【技術分野】
【０００１】
本発明は、多種多様な食品・食材等の被冷凍物を高品質かつ低コストで長時間連続的に冷凍し得る機能性連続急速冷凍装置に関する。
【背景技術】
【０００２】
食品保存法は、古来より伝承的な塩蔵や乾燥を始めとして時代の変遷と共に、缶詰、レトルト食品、真空パック、低温保存、冷凍法など技術の進歩の過程で様々な工夫がされて来た。
その多くは、微生物による腐敗を如何に防ぐか、また、化学反応による変敗を如何に防止するかが決め手となっていた。なかでも、現在主流の冷凍法（冷凍装置）は、生鮮食材の本来の状態（色調、味、香り、食感等）に、また、加工食品の製造直後の状態のまま長期保存を目標に発展し、一般家庭は元より外食産業など、我々の食生活に深く浸透している。
その先端に、急速冷凍技術が存在する。単なる緩慢冷凍と異なり、例えば、−３５℃〜−５５℃程度の超低温の冷気を吹き付けて被冷凍物（食品・食材）を凍結するエアブラスト方式や、液冷媒と接触せしめるブライン方式、及び、両者の複合方式（例えば、特許文献１参照）がある。
【先行技術文献】
【特許文献】
【０００３】
【特許文献１】特開２０１１−７８３３３号公報
【発明の概要】
【発明が解決しようとする課題】
【０００４】
特に、従来のエアブラスト方式は、被冷凍物の表面全体に行き渡って接触することは適わず、先ずは一部の冷気接触面から冷却が進み内部へと漸次熱伝導していく（冷却が進む）為、薄い被冷凍物はともかく、肉厚のものは、急速冷凍とは言えど、完全冷凍に到るには或る程度の時間を要する。それ故、最大氷結晶生成帯（−１℃〜−５℃位）で、被冷凍物の組織細胞の水分が氷（結）晶となって成長し、組織細胞を破壊、それが、解凍時にドリップとなり流出、品質劣化を招来する。
特に、被冷凍物が少量多品種の場合、各々の形状が異なるため、凍結ムラが多いといった問題があった。
また、冷凍室内の水蒸気や被冷凍物の水分が、冷却用熱交換器に集中して霜となって付着する為、冷凍能力の低下やコンプレッサーが過負荷となって故障の原因となる問題があった。
また、冷却用熱交換器の霜の除去（デフロスト）を、所定時間毎（８時間程度毎）に行なう必要があり、連続運転（２４時間運転）が出来ないといった問題や、凍結ムラを無くすために、凍結時間を長めに設定する傾向があり、効率が悪く、生産コスト高になるといった問題があった。【０００５】
例えば、図８に示すような従来のエアブラスト方式の冷凍装置は、食材や食品等の被冷凍物Ｑが収容される冷凍室92と、冷凍室92の内側壁側に配設され冷気を発生させるための冷却用熱交換器91と、冷気を被冷凍物Ｑに吹き付けるための送風ファン95と、を備えていた。
そして、冷気は、送風ファン95によって、被冷凍物Ｑに向かって常に同一方向へ流れ、冷凍室92内で、自然対流に近いかたちで循環する。被冷凍物Ｑは冷気が直接に接触する一方面から冷却され、反対面は冷却が不十分となり、伝導により中心部が所定の温度に達するのにはかなりの時間を要する。
また、被冷凍物の配置や、その形状や大きさなどが異なる場合には、冷気の流れが遮られたり乱れて、冷気が全く接しない被冷凍物が出てくるケースも多々あることは言うまでもない。
これらの事実が、上述の冷凍ムラや品質劣化の問題が生じる最大の要因となっている。即ち、急速冷凍装置が、残念ながら亜急速冷凍装置となっている。
従って、多様化する様々な被冷凍物の品質保持の為には、最大氷結晶生成帯の速やか通過は言う迄もなく、その後の被冷凍物の中心部まで素早い冷凍を図り、物理的ダメージを最小限に抑えると共に、冷凍ムラが無く、ローコストで所定の温度に凍結することが肝要である。【０００６】
そこで、本発明は、被冷凍物の表面全体に万偏なく冷気流を接触させて、最大氷結晶生成帯を容易に早く通過し、被冷凍物の中心部が短時間で所定の温度に到達可能な機能性連続急速冷凍装置の提供を目的とする。
【課題を解決するための手段】
【０００７】
上記目的を達成するために、本発明の機能性連続急速冷凍装置は、被冷凍物が収容される冷凍室と、該冷凍室の中央部に仕切り壁状に配設され上記冷凍室を第１冷凍区画と第２冷凍区画に区画する冷却用熱交換器と、上記第１冷凍区画を介して上記冷却用熱交換器と対面状に配設される第１送風ファンと、上記第２冷凍区画を介して上記冷却用熱交換器と対面状に配設される第２送風ファンと、を備えたものである。
また、上記冷却用熱交換器によって発生する上記冷凍室内の冷気を、上記第１冷凍区画から上記第２冷凍区画への流れと、上記第２冷凍区画から上記第１冷凍区画への流れとに、所定時間毎に切り換わるように、上記第１送風ファンと上記第２送風ファンのファン回転方向を制御するファン制御部を具備するものである。
【発明の効果】
【０００８】
本発明によれば、被冷凍物の表面全体に万遍なく冷気が押し包むように流れ、最大氷結晶生成帯を短時間で突破し、被冷凍物の中心部が短時間で所定の温度に到達し、理想的な急速冷凍を行なうことができる。多種多様な食品・食材等の冷凍加工物を高品質かつ低コストで長時間連続的に運転し得る。冷凍による品質の劣化を極力少なくできる。
また、冷凍食品（冷凍加工物）は、利便性が高く、現在の食生活にすっかり根付いている。スーパーでも解凍された魚などが比較的安価に販売されているが、どうせ解凍品だからと揶揄される事が多いのも事実である。しかしながら、世界の何処でも、とれたての魚介類や新鮮な肉や野菜を味わえるとなれば、また、季節に関係なく旬のものをいつでも味わえる事はグルメの人々だけでなく一般大衆にとって、さらには老健施設を生活の場としているお年寄りの方にとって、日々の楽しみに寄与し、世界の人々の豊かな食生活に多大に貢献し得る。
【図面の簡単な説明】
【０００９】
【図１】本発明に係る機能性連続急速冷凍装置の実施の一形態を示す簡略正面断面図である。
【図２】作用を説明する簡略正面断面図である。
【図３】他の実施形態を示す簡略正面断面図である。
【図４】他の実施形態の作用を説明する簡略正面断面図である。
【図５】他の実施形態の斜視図である。
【図６】別の実施形態を示す簡略正面断面図である。
【図７】別の実施形態の作用を説明する簡略正面断面図である。
【図８】従来例を示す簡略正面断面図である。
【発明を実施するための形態】
【００１０】
以下、図示の実施形態に基づき本発明を詳説する。
本発明に係る機能性連続急速冷凍装置は、図１及び図２に示すように、食品や食材等の被冷凍物Ｑが収容される冷凍室２と、冷凍室２の左右方向の中央部に仕切り壁状に配設される冷却用熱交換器（冷媒蒸発器）１と、を備えている。
冷凍室２を、冷却用熱交換器１（以下、冷却器１と呼ぶ場合もある）によって、第１冷凍区画２ａと、第２冷凍区画２ｂと、に二分割している。
【００１１】
冷却器１は、周囲の空気を冷却して冷気を発生させるものであり、内部に冷媒ガス等の冷却用媒体が送流している。
そして、冷却器１の一方面１ａ側から他方面１ｂ側、及び、他方面１ｂ側から一方面１ａ側へ、空気（冷気）が送流可能な形状である。例えば、蛇行形状や梯子形状の冷媒管や、複数の放熱フィンや冷媒流路を有すると共に冷気用貫孔を有するブロック形状等である。つまり、冷気が通過可能であれば形状は自由である。
【００１２】
また、第１冷凍区画２ａを介して冷却器１の一方面１ａと対面状に、かつ、冷凍室２の左右一方の内側壁側（寄り）に配設される第１送風ファン５と、第２冷凍区画２ｂを介して冷却器１の他方面１ｂと対面状に、かつ、冷凍室２の左右他方の内側壁側（寄り）に配設される第２送風ファン６と、を備えている。第１・２送風ファン５，６は、ファン回転方向を正転・逆転操作することで、送風方向（吹き出し方向と吸込み方向）を変更可能なものである。
【００１３】
つまり、図１及び図２の実施形態は、冷却器１と、冷却器１が中央部に配設され第１冷凍区画２ａと第２冷凍区画２ｂが形成される冷凍室２と、第１・第２送風ファン５，６と、を備えた冷凍ユニットＹを１つ備えている。
【００１４】
そして、第１・２送風ファン５，６の起動・停止制御、ファン回転方向の正転・逆転制御、ファンの風速（回転数）制御等が可能なファン制御部８を備えている。ファン制御部８はＣＰＵ等の演算処理手段と記憶手段（ハードディスクやフラッシュメモリ、ＲＡＭやＲＯＭ等）を備えているコンピュータ等である。
ファン制御部８は、冷気（冷凍室２内の空気）を図１に示す矢印Ｊのように第１冷凍区画２ａから冷却器１を通過させて第２冷凍区画２ｂへの流れと、図２に示す矢印Ｋのように第２冷凍区画２ｂから冷却器１を通過させて第１冷凍区画２ａへの流れと、に第１・２送風ファン５，６のファン回転方向を切換制御する冷気流反転制御（ファン反転制御）を行なうものである。また、ファン制御部８は、冷気流反転制御を所定時間毎に行なう。
【００１５】
また、第１送風ファン５の反冷凍区画側と、第２送風ファン６の反冷凍区画側と、を接続する（連結する）戻し流路71を有している。
戻し流路71は、第１・２送風ファン５，６が図１の矢印Ｊ方向の冷気流れを発生させる際に第２送風ファン６によって吹き出される冷気を第１送風ファン５の吸込み側へ送ると共に、第１・２送風ファン５，６が図２の矢印Ｋ方向の冷気流れを発生させる際に第１送風ファン５によって吹き出される冷気を第２送風ファン６の吸込み側へ送る、冷気循環用流路である。
【００１６】
次に、図３乃至図５に示す他の実施形態は、上述の冷凍ユニットＹを上下方向に隣り合うように２つ並列状に設けたものである。つまり、上下一方の冷凍ユニットＹと、上下他方の冷凍ユニットＹと、を備えている。
【００１７】
図３及び図４に於て、上下一方の冷凍ユニットＹの第１送風ファン５の反冷凍区画側と、上下他方の冷凍ユニットＹの第１送風ファン５の反冷凍区画側と、を連結する第１連通路72を設けている。また、上下一方の冷凍ユニットＹの第２送風ファン６の反冷凍区画側と、上下他方の冷凍ユニットＹの第２送風ファン６の反冷凍区画側と、を連結する第２連通路73を設けている。第１連通路72及び第２連通路73は冷気循環用流路である。
また、上下一方の冷凍ユニットＹと上下他方の冷凍ユニットＹで１つの冷却器１を共用している。
【００１８】
図３に示すように、ファン制御部８は、上下一方の冷凍ユニットＹにおいて冷気が矢印Ｊ方向に流れるように（冷気を第１冷凍区画２ａから冷却器１を通過させて第２冷凍区画２ｂへ流れるように）第１・第２送風ファン５，６のファン回転方向を制御すると共に、上下他方の冷凍ユニットＹにおいて冷気が矢印Ｋ方向に流れるように（冷気を第２冷凍区画２ｂから冷却器１を通過させて第１冷凍区画２ａへ流れるように）第１・第２送風ファン５，６のファン回転方向を制御する第１循環冷気流発生制御を行なう。
【００１９】
また、図４に示すように、ファン制御部８は、上下一方の冷凍ユニットＹにおいて冷気が矢印Ｋ方向に流れるように（冷気を第２冷凍区画２ｂから冷却器１を通過させて第１冷凍区画２ａへ流れるように）第１・第２送風ファン５，６のファン回転方向を制御すると共に、上下他方の冷凍ユニットＹにおいて冷気が矢印Ｊ方向に流れるように（冷気が第１冷凍区画２ａから冷却器１を通過させて第２冷凍区画２ｂへ流れるように）第１・第２送風ファン５，６のファン回転方向を制御する第２循環冷気流発生制御を行なう。つまり、第１循環冷気流発生制御とは逆（周り）方向の冷気流を発生させる第２循環冷気流発生制御を行なう。
【００２０】
そして、ファン制御部８は、上述の第１循環冷気流発生制御と、上述の第２循環冷気流発生制御と、切り換わるようにファン回転方向を制御する冷気流反転制御を、所定時間毎に（交互に）行なう。
【００２１】
なお、図示省略するが、冷凍ユニットＹを前後方向（奥行き方向）に隣合うように２つ並列状に設けても良い。そして、図３及び図４の実施形態と同様に、第１連通路72と第２連通路73を設け、ファン制御部８にて、冷気流反転制御を、所定時間毎に行なうように構成するもよい。つまり、図３及び図４を用いて説明した構成に於て「上下一方の冷凍ユニットＹ」を「前後一方の冷凍ユニットＹ」に、「上下他方の冷凍ユニットＹ」を「前後他方の冷凍ユニットＹ」に、置き換えた構成である。
【００２２】
次に、図６及び図７に示す別の実施形態は、上述の冷凍ユニットＹを左右方向に隣り合うように２つ直列状に設けたものである。つまり、左右一方の冷凍ユニットＹと、左右他方の冷凍ユニットＹと、を備えている。
【００２３】
また、左右一方の冷凍ユニットＹの第１送風ファン５の反冷凍区画側と、左右他方の冷凍ユニットＹの第２送風ファン６の反冷凍区画側と、を連結する連結流路74（冷気循環用流路）を設けている。
また、左右一方の冷凍ユニットＹの第２送風ファン６と、左右他方の冷凍ユニットＹの第１送風ファン５と、を共用（併用）し、共用送風ファン７としている。
【００２４】
図６に示すように、ファン制御部８は、左右一方の冷凍ユニットＹにおいて冷気を矢印Ｊ方向に流し（冷気を第１冷凍区画２ａから冷却器１を通過させて第２冷凍区画２ｂへ流し）、さらに、左右他方の冷凍ユニットＹにおいて冷気を矢印Ｊ方向に流れるように（第１冷凍区画２ａから冷却器１を通過させて第２冷凍区画２ｂへ流れるように）、左右一方の冷凍ユニットＹの第１送風ファン５と、共用送風ファン７と、左右他方の冷凍ユニットＹの第２送風ファン６のファン回転方向を制御する第１左右方向冷気流発生制御を行なう。
【００２５】
また、図７に示すように、ファン制御部８は、左右他方の冷凍ユニットＹにおいて冷気を矢印Ｋ方向に流し（冷気を第２冷凍区画２ｂから冷却器１を通過して第１冷凍区画２ａへ流し）、さらに、左右一方の冷凍ユニットＹにおいて冷気が矢印Ｋ方向に流れるように（第２冷凍区画２ｂから冷却器１を通過させて第１冷凍区画２ａへ流れるように）、左右一方の冷凍ユニットＹの第１送風ファン５と、共用送風ファン７と、左右他方の冷凍ユニットＹの第２送風ファン６のファン回転方向を制御する第２左右方向冷気流発生制御を行なう。
【００２６】
そして、ファン制御部８は、上述の第１左右方向冷気流発生制御と、上述の第２左右方向冷気流発生制御と、切り換わるようにファン回転方向を制御する冷気流反転制御を、所定時間毎に（交互に）行なう。
【００２７】
また、本発明の機能性連続急速冷凍装置は、被冷凍物Ｑの出し入れを、各冷凍区画に応じて行なえるように、例えば、図５に示すように、各冷凍区画に対応する扉21を設けている。また、図示省略するが各冷凍区画には、被冷凍物Ｑを収容可能な網籠状の前後方向スライド自在な引き出し部材、或いは、スライド自在な網棚を設けた、バッチ型（式）の急速冷凍装置である。
【００２８】
また、第１・第２送風ファン５，６のファン回転方向を、ファン制御部８にて制御して、被冷凍物Ｑの大きさや形状を考慮して、双方向（左右方向）から冷気を同時に吹き付ける対向冷気流発生制御をおこなって冷却（冷凍）時間を短縮させるようにしても良い。
また、第１冷凍区画２ａに対応する第１送風ファン５を複数設けて第１送風ファン群を形成し、第２冷凍区画２ｂに対応する第２送風ファン６を複数設けて第２送風ファン群を形成しても良い。そして、ファン制御部８によって、第１送風ファン群内のいくつかのファンを選択して作動させると共に、第２送風ファン群内のいくつかのファンを選択して作動させ、上昇冷気流発生制御、下降冷気流発生制御、乱冷気流発生制御、正面視上下傾斜状冷気流発生制御、平面視前後傾斜状冷気流発生制御等、様々な冷気流発生制御を行なうようにするも良い。被冷凍物Ｑの形状や大きさに対応させて、様々な種類の気流を発生させることで、被冷凍物Ｑの形状や大きさに左右されずに、被冷凍物Ｑの表面全体を冷気で押し包むようにして、冷却作動時間を短縮させても良い。また、ファン制御部８にて冷気流反転制御と、上述の様々な冷気流発生制御を組み合わせて、所定の順序で所定時間毎に急速冷凍を行なうようにするも良い。
【００２９】
また、冷凍室２の中央部に、冷却器１を設けることにより、図１及び図２のような２区画又は図３及び図４のような４区画と小分け（区画）が容易なため、奥行き（前後方向）寸法を大きくして、さらに、小分けして、多品種、多変形な被冷凍物Ｑを、各冷凍区画２ａ，２ｂに分別して夫々収納しても良い。
また、設定温度（冷却温度）と風速と被冷凍物の大きさ（厚み）や種類で、作動時間が逆算可能となるため、各冷凍区画２ａ，２ｂに対応するタイマーを設け、タイマーとファン制御部８の供働きによってファンのＯＮ−ＯＦＦ制御を行なっても良い。
従来は、冷却作動時間の設定は経験に依る事が多く、また、冷却作動時間を長目に設定することが多かった為、時間の無駄や冷凍のやり直し等がおこり効率が悪かったが、タイマー制御により誰でも（冷凍見極めの経験が豊富な者でなくとも）容易に、効率良く、夫々、適切な時間（例えば、ブリのフィレで厚み６０ｍｍのものは、風速３．５ｍ／秒で、−４０℃に設定すると、冷却作動時間は６０分）をもって冷却し、無駄のない、さらなるコストダウン効果が得られる。
【００３０】
次に、本発明の機能性連続急速冷凍装置の使用方法（作動）について説明する。
図１に於て、ファン制御部８からの命令信号によって、第１送風ファン５と第２送風ファン６が作動して、第１冷凍区画２ａから第２冷凍区画２ｂに向かって、矢印Ｊ方向への前後方向水平状の冷気流を発生させる。所定時間後、ファン制御部８からの命令信号によって、第１送風ファン５と第２送風ファン６が逆回転して（冷気流反転制御が行なわれ）、図２に示すような、第２冷凍区画２ｂから第１冷凍区画２ａに向かって、矢印Ｋ方向への前後方向水平状の冷気流を発生させる。そして、冷気流の方向（ファンの回転方向）を切り換える冷気流反転制御を、所定時間毎に行い、所定作動時間、冷却（冷凍）を行なう。
【００３１】
冷凍室２内で冷気が一部に偏在（滞留）せず、また、被冷凍物Ｑの左右両側から冷気が交互に当たって、被冷凍物Ｑの表面全体から均一かつ急速に冷却が進み、被冷却物Ｑの内部（中心部）の温度が、最大氷結晶帯を速やかに（短時間で）通過するように低下して、所望の温度に容易に短時間で到達する。つまり、組織細胞中の氷結晶が大きくならず、組織細胞が破壊されずに凍結する。
また、第１送風ファン５及び第２送風ファン６の一方が、冷気を冷凍区画に向かって吹き付けるようにし（有圧作動）、第１送風ファン５及び第２送風ファン６の他方が、冷凍区画から冷気を吸い込むように（負圧作動）、することで、冷凍室２内の冷気の流れが安定すると共に、冷気の循環が効率良く行なわれる。
【００３２】
また、冷却器１の冷気が吹き付けられる側は、霜が発生して成長する虞がある。例えば、図１の矢印Ｊ方向の冷気流の場合、冷却器１の一方面１ａ側には冷気が吹き付けられ（有圧風を受けて）霜が発生して大きく成長する虞がある。
しかし、所定時間後に、冷気流の方向が逆となり、（図２の矢印Ｋ方向の冷気流れとなり）、冷却器１の一方面１ａ側の霜は、第１送風ファン５による吸込み（負圧風）によって除霜（デフロスト）される。
【００３３】
例えば、図１に於て、冷却器１は、一方面１ａ側が霜発生状態（着霜状態）で、他方面１ｂ側がデフロスト状態（除霜状態または、霜無し状態）であるが、ファン制御部８によって冷気流反転制御が行なわれると、図２に示すような冷気流となり、一方面１ｂ側がデフロスト状態（除霜状態または、霜無し状態）となり、他方面１ｂ側が霜発生状態（着霜状態）となる。
【００３４】
つまり、ファン制御部８にて冷気流反転制御を所定時間毎に行なうことで、冷却器１の一方面１ａと他方面１ｂを、交互にデフロストして、冷却器１に付着する霜を除去して（成長させず）、霜による冷却性能の低下を防止している。冷却（冷凍）運転と除霜運転とを同時に行なって、冷凍運転を（除霜のために）一時停止させずに、連続冷却（冷凍）運転を可能としている。
なお、図３乃至図７の実施形態も、上述の冷却作用及び徐霜作用が得られ、被冷凍物Ｑを効率良く冷凍する。
【００３５】
ここで、図３及び図４の実施形態のものを実施例とし、図８に示すような従来の急速冷凍装置を比較例として、官能試験を行なった。
先ず、官能試験に用いる被冷凍物Ｑは、冷凍に対する問題が発生しやすく、食感や風味で品質の良否が判断し易いものを選択した。
下記表１に、被冷凍物Ｑ（食品・食材）、試験前の形状や前処理、冷凍にした際に発生し得る問題点等を示す。
【００３６】
【表１】
2014049717.tif 000003
【００３７】
また、図７に示すような従来の急速冷凍装置であって、製造メーカの異なるものを、夫々、比較例Ａ、比較例Ｂ、比較例Ｃ、比較例Ｄとする。そして、各比較例Ａ〜Ｄを作動させて、上記表１の（イ）〜（ニ）の被冷凍物Ｑを冷凍し、その後、−２５℃の冷凍庫で保管し、１カ月後に自然解凍させて官能試験を行なった。評価は、風味と食感について、夫々、１点〜５点までの５段階評価とした。具体的には、表１の問題点を全く解決出来ておらず、著しく品質が低下していたものを、１点とした。また、表１の問題点を解決出来ておらず、品質が低下していたものを、２点とした。また、表１の問題点を解決不足で、品質が若干低下していたものを、３点とした。また、表１の問題点をやや解決して、品質が僅かに低下していたものを、４点とした。また、表１の問題点を解決して、品質が冷凍前と変わらないものを５点とした。
【００３８】
比較例Ａ〜Ｄの結果を下記表２に示す。従来の急速冷凍装置（比較例）は、品質劣化の問題点を解決できていないことが明らかであった。
【００３９】
【表２】
2014049717.tif 000004
【００４０】
次に、実施例の結果を下記表３に示す。従来の急速冷凍装置（比較例）と比べて、品質の劣化が小さいことが明らかとなった。
この結果から、冷却器１の位置、送風ファン５，６の配置、ファンの回転制御等に着目したことで、従来では冷凍に問題があるとされた被冷凍物Ｑであっても、品質の劣化が少なくなったと言える。
なお、冷却温度は−４０℃前後（−３８℃〜−４２℃）が最適であったが、−３５℃〜−５５℃の範囲でも十分に品質が保持されていた。また、風速は、３．５ｍ／秒前後（３．０ｍ／秒〜４．０ｍ／秒）が十分に品質が保持され使用電気量が少なく経済的であったが、２ｍ／秒〜８ｍ／秒でも十分な品質保持が確認できた。また、霜による冷却器１の冷却性能低下が殆ど無く、効率が良かった。なお、長時間（８時間以上）の作動ではデフロストの無駄な時間が削減でき、効率が良かった。
【００４１】
【表３】
2014049717.tif 000005
【００４２】
また、被冷凍物Ｑを魚介類、肉類、野菜類、加工食品と分類し、実施例について官能試験を行なった。
評価は、冷凍前の色調（色合い）、味、香り、食感について、味の専門家１０人がモニターとして評価した。
また、評価は、１点〜５点までの５段階評価とした。具体的には、品質劣化が著しいものを、１点とした。また、明らかに品質が落ちているものを、２点とした。また、品質がやや落ちて、冷凍物と感じるものを、３点とした。また、殆ど変わらず十分に評価し得るものを、４点とした。また、全く変わらず高品質を維持しているものを５点とした。
また、被冷凍物Ｑを、各冷凍区画の収容可能内容積に対して４分の１収納した。冷気の流れを１０分毎に切り換わるようにファン制御部８を設けた。
そして、冷凍後に、−２５℃の冷凍庫で保管し、２カ月後に、解凍して、官能試験を行なった。解凍は、魚介類や肉類は＋２℃〜＋３℃の冷蔵庫内にて、野菜類や加工食品は種類に応じて、湯せんや電子レンジ、自然解凍等を行なった。
【００４３】
先ず、下記表４に、魚介類の官能試験の結果を示す。下記表４から明らかなように、（小型の）魚介類の場合、従来よりも短い作動時間に関わらず、冷凍前と比べてほぼ遜色のない高品質に冷凍し得た事が如実に示された。
また、冷却（冷凍）作動コストを重視して、冷却温度を−３５℃から−４０℃としても十分な効果が得られることが明らかとなった。また、表４に記載の魚介類以外についても同様の評価が得られた。
【００４４】
【表４】
2014049717.tif 000006
【００４５】
次に、下記表５に、肉類の官能試験の結果を示す。下記表５から明らかなように、牛肉、豚肉ともドリップはほぼ皆無で、冷凍前の品質を維持していた。なお、下記表５以外の風速及び作動時間でも同様に高い評価（品質）が得られた。
【００４６】
【表５】
2014049717.tif 000007
【００４７】
次に、下記表６に、野菜の官能試験の結果を示す。下記表６から明らかなように、野菜も殆ど劣化することはなかった。なお、下記記の表６はブランチングを行なった場合の結果であるが、生で（ブランチングなし）で凍結させ、その後、熱湯で調理した場合、又は、自然解凍した場合、評価は全て５であった。野菜本来の甘みや風味が増して、ブランチングした場合よりも数段優れていた。
また、表６に記載以外の種々の野菜類についても、風速等の条件を変えて急速冷凍を行なったが水分含量の多いもの（例えば大根やキュウリ）を除いては、ほぼ同様の結果が得られた。
【００４８】
【表６】
2014049717.tif 000008
【００４９】
次に、下記表７に、加工食品の官能試験の結果を示す。下記表７から明らかなように、製造直後の品質をほぼ維持していた。また、下記表７に記載したもの以外に、例えば、タコ焼き、そら豆、油揚げ、ショートケーキ、ロールケーキ、パン、ロールキャベツ等も、風速や作動時間、冷却温度を換えて急速冷凍したが、下記表７と同様の評価（品質）が得られた。
また、モニターによっては、お茶漬けや炒飯に、この冷凍したご飯を用いた方が、冷凍していないご飯を用いる場合よりも美味しくなるとの報告を受けた。
なお、図１と図２、及び、図６と図７の実施形態のもので上述の官能試験をおこなっても、同様の結果（品質）が得られた。
【００５０】
【表７】
2014049717.tif 000009
【００５１】
また、上述の結果から、被冷凍物Ｑを冷凍する際に、冷却温度は、−３５℃〜−５５℃、風速は２ｍ／秒〜８ｍ／秒、で十分な品質が得られていることが明らかとなった。なお、風量は風速に比例で特に問題視することはなかった。また。冷気の流れは被冷凍物Ｑに万遍なく接して、品質劣化なく、ほぼ完璧に急速冷凍し得た。また、冷凍時間はコストの点からも従来のものより短く設定しても十分に好成績が得られる事が明らかとなった。
【００５２】
なお、本発明は、設計変更可能であって、図１及び図２に於て、戻し流路71を冷凍室２内に設け、戻し流路71内を通過する戻り冷気が冷却器１を通過するように構成しても良い。また、図３及び図４に於て、冷却器１を共用とせず、一方の冷凍ユニットＹと、他方の冷凍ユニットＹに個別に設けても良い。
【００５３】
以上のように、本発明の機能性連続急速冷凍装置は、被冷凍物Ｑが収容される冷凍室２と、冷凍室２の中央部に仕切り壁状に配設され冷凍室２を第１冷凍区画２ａと第２冷凍区画２ｂに区画する冷却用熱交換器１と、第１冷凍区画２ａを介して冷却用熱交換器１と対面状に配設される第１送風ファン５と、第２冷凍区画２ｂを介して冷却用熱交換器１と対面状に配設される第２送風ファン６と、を備えたので、冷気流が一部に偏在するのを防止でき、真の急速冷凍が可能となる。また、冷却器１の冷却能力は−３５℃〜−４０℃（又は、−３８℃〜−４２℃）で十分な効果が得られるため、従来の−５５℃（−５０℃より低い温度）で冷却する場合にくらべて、電気使用量を１／２．５（４０％）〜１／２（５０％）のコストダウン効果が得られる。また、電場、磁場等を発生させる必要がないため、製造コストやランニングコストの削減を実現できる。被冷凍物Ｑの表面全体に万遍なく冷気が押し包むように流れ、最大氷結晶生成帯を短時間で突破し、被冷凍物Ｑの中心部が短時間で所定の温度に到達し、理想的な急速冷凍を行なうことができる。多種多様な食品・食材等の冷凍物加工品（冷凍食品）を高品質かつ低コストで長時間連続的に運転し得る。冷凍による品質の劣化を極力少なくできる。また、強い冷気流が万偏なく、被冷凍物Ｑに接するようにして、均一に冷凍が進み、被冷却物Ｑの中心部が所望の温度に到達するまでの時間が、従来の１／２（５０％）〜２／３（６７％）で到達でき、氷結晶の成長が殆どなく、高品質の冷凍品が生産可能となる。
【００５４】
また、冷却用熱交換器１によって発生する冷凍室２内の冷気を、第１冷凍区画２ａから第２冷凍区画２ｂへの流れと、第２冷凍区画２ｂから第１冷凍区画２ａへの流れとに、所定時間毎に切り換わるように、第１送風ファン５と第２送風ファン６のファン回転方向を制御するファン制御部８を具備するので、第１・第２送風ファン５，６のファン回転方向による有圧・負圧（圧力差）を効果的に利用して、風量と冷気の流れ方向をコントロール（制御）し、強い冷気流が万偏なく、被冷凍物Ｑに接するようにして、均一に冷凍が進み、被冷却物Ｑの中心部が所望の温度に到達するまでの時間が短く（速く）、氷結晶の成長が殆どなく、高品質の冷凍品が生産可能となる。また、冷気の流れ方向を所定時間毎（例えば１０〜１５分毎）に変えることにより、冷気を有効に被冷凍物Ｑに接触させることに加え、デフロスト（除霜作業）を実現でき、冷却器１の性能を低下させる事なく、効率的な冷凍運転をおこなうことができる。急速冷凍運転（工程）とデフロスト運転（工程）を同時におこなえ、冷却（冷凍）運転を、（除霜のために）一時停止させず、１５〜２４時間以上の連続冷凍運転を可能としている。霜による冷却器１の冷凍能力の低下やコンプレッサーが過負荷となる故障を防止できる。
【符号の説明】
【００５５】
１  冷却用熱交換器
２  冷凍室
２ａ  第１冷凍区画
２ｂ  第２冷凍区画
５  第１送風ファン
６  第２送風ファン
８  ファン制御部
Ｑ  被冷凍物
【図１】
2014049717.tif 000010
【図２】
2014049717.tif 000011
【図３】
2014049717.tif 000012
【図４】
2014049717.tif 000013
【図５】
2014049717.tif 000014
【図６】
2014049717.tif 000015
【図７】
2014049717.tif 000016
【図８】
2014049717.tif 000017
【国際調査報告】
2014049717.tif 000018
2014049717.tif 000019
2014049717.tif 000020
2014049717.tif 000021